【手続補正書】
【提出日】平成28年6月23日(2016.6.23)
【手続補正１】
【補正対象書類名】特許請求の範囲
【補正対象項目名】全文
【補正方法】変更
【補正の内容】
【特許請求の範囲】
【請求項１】
媒体基材と、
第１方向及び該第１方向と交差する第２方向に配列されて前記媒体基材に設けられた複数の単位データ部と、
を有し、
前記単位データ部の配列にディジタルコードを形成するためのマークが、一部の前記単位データ部に設けられており、
前記マークは前記媒体基材表面に形成される所定の高さを有する凸部であって、当該凸部の有無に応じて単位データ部に二値のデータのいずれかを付与するものであり、
前記媒体基材に設けられ、前記第２方向に延在する溝をさらに有し、
前記単位データ部は前記溝に設けられている情報保持媒体。
【請求項２】
請求項１記載の情報保持媒体であって、
前記単位データ部列は少なくとも一つの前記マークを含む情報保持媒体。
【請求項３】
媒体基材と、
第１方向及び該第１方向と交差する第２方向に配列されて前記媒体基材に設けられた複数の単位データ部と、
を有し、
前記単位データ部の配列にディジタルコードを形成するためのマークが、一部の前記単位データ部に設けられており、
前記マークは前記媒体基材表面に形成される所定の高さを有する凸部であって、当該凸部の有無に応じて単位データ部に二値のデータのいずれかを付与するものであり、
前記第１方向に延びる単位データ部列の前記第２方向の並びにおける始端側単位データ部列の前記第１方向順列のマークパターンは、終端側単位データ部列の前記第１方向順列のマークパターン及び前記第１方向とは反対方向順列のマークパターンと異なり、
前記媒体基材に設けられ、前記第２方向に延在する溝をさらに有し、
前記単位データ部は前記溝に設けられている情報保持媒体。
【請求項４】
請求項３記載の情報保持媒体であって、
前記始端側単位データ部列及び前記終端側単位データ部列を除く単位データ部列の前記第１方向順列のマークパターンは、前記終端側単位データ部列の前記第１方向順列のマークパターンと異なる情報保持媒体。
【請求項５】
請求項１又は２記載の情報保持媒体と、
前記情報保持媒体の前記単位データ部の配列に形成されたディジタルコードを読み取る情報読取装置と、
を備え、
前記情報読取装置は、
前記情報保持媒体の前記第２方向への相対移動を伴って該情報保持媒体が装着される装着部と、
前記装着部に装着された前記情報保持媒体の前記第１方向に平行な方向に配列されて前記装着部に設けられ、前記情報保持媒体の前記単位データ部に設けられた前記マークを検出し、検出結果に対応した信号を出力する複数の検出部と、
複数の前記検出部から同期して出力される複数の信号を一単位とする単位信号に基づいてデータ列を生成し、前記情報保持媒体の前記単位データ部の配列から順次得られる前記データ列の群に基づいて前記ディジタルコードを認識する処理部と、
を有し、
前記検出部は前記凸部によって押下されるスイッチである情報処理システム。
【請求項６】
請求項３又は４記載の情報保持媒体と、
前記情報保持媒体の前記単位データ部の配列に形成されたディジタルコードを読み取る情報読取装置と、
を備え、
前記情報読取装置は、
前記情報保持媒体の前記第２方向への相対移動を伴って該情報保持媒体が装着される装着部と、
前記装着部に装着された前記情報保持媒体の前記第１方向に平行な方向に配列されて前記装着部に設けられ、前記情報保持媒体の前記単位データ部に設けられた前記マークを検出し、検出結果に対応した信号を出力する複数の検出部と、
複数の前記検出部から同期して出力される複数の信号を一単位とする単位信号に基づいてデータ列を生成し、前記情報保持媒体の前記単位データ部の配列から順次得られる前記データ列の群に基づいて前記ディジタルコードを認識する処理部と、
を有しており、
前記検出部は前記凸部によって押下されるスイッチであり、
前記情報保持媒体の前記終端側単位データ部列の前記第１方向順列のマークパターンは特定マークパターンとされており、
前記処理部は、前記特定マークパターンから得られる特定データ列を検出した場合に前記ディジタルコードを認識する処理を実行し、また前記特定マークパターンを前記第１方向とは反対方向に反転してなる反転特定マークパターンから得られる反転特定データ列を検出した場合にエラー処理を実行する情報処理システム。
【請求項７】
請求項５又は６記載の情報処理システムであって、
前記情報読取装置の前記装着部には、前記情報保持媒体の前記溝に係合して該情報保持媒体の前記第２方向の相対移動をガイドするガイド部が設けられている情報処理システム。
【請求項８】
請求項７記載の情報処理システムであって、
前記情報読取装置の前記ガイド部は、前記装着部に装着された前記情報保持媒体の前記第２方向に平行な方向に延びる凸条である情報処理システム。
【請求項９】
請求項５から８のいずれか一項記載の情報処理システムであって、
前記情報読取装置は、動作部と、前記動作部を動作させるための動作データを前記ディジタルコードに関連付けて記憶した記憶部と、をさらに有しており、
前記情報読取装置の前記処理部は、認識した前記ディジタルコードに対応する動作データを前記記憶部から読み出して、該読み出した動作データに基づいて前記動作部を動作させる情報処理システム。
【請求項１０】
請求項９記載の情報処理システムであって、
前記動作部は、音声または発光のうち少なくともいずれかを含む演出を出力可能である情報処理システム。
【手続補正２】
【補正対象書類名】明細書
【補正対象項目名】０００７
【補正方法】変更
【補正の内容】
【０００７】
本発明に係る情報保持媒体は、媒体基材と、第１方向及び該第１方向と交差する第２方向に配列されて前記媒体基材に設けられた複数の単位データ部と、を有し、前記単位データ部の配列にディジタルコードを形成するためのマークが、一部の前記単位データ部に設けられており、前記第１方向に延びる単位データ部列の前記第２方向の並びにおいて、隣り合う二つの単位データ部列の前記第１方向順列のマークパターンが互いに異なることを特徴とする。また、本発明に係る情報保持媒体は、媒体基材と、第１方向及び該第１方向と交差する第２方向に配列されて前記媒体基材に設けられた複数の単位データ部と、を有し、前記単位データ部の配列にディジタルコードを形成するためのマークが、一部の前記単位データ部に設けられており、前記マークは前記媒体基材表面に形成される所定の高さを有する凸部であって、当該凸部の有無に応じて単位データ部に二値のデータのいずれかを付与するものであり、前記媒体基材に設けられ、前記第２方向に延在する溝をさらに有し、前記単位データ部は前記溝に設けられていることを特徴とする。

【手続補正３】
【補正対象書類名】明細書
【補正対象項目名】０００９
【補正方法】変更
【補正の内容】
【０００９】
また、本発明に係る情報保持媒体は、媒体基材と、第１方向及び該第１方向と交差する第２方向に配列されて前記媒体基材に設けられた複数の単位データ部と、を有し、前記単位データ部の配列にディジタルコードを形成するためのマークが、一部の前記単位データ部に設けられており、前記第１方向に延びる単位データ部列の前記第２方向の並びにおける始端側単位データ部列の前記第１方向順列のマークパターンは、終端側単位データ部列の前記第１方向順列のマークパターン及び前記第１方向とは反対方向順列のマークパターンと異なることを特徴とする。また、本発明に係る情報保持媒体は、媒体基材と、第１方向及び該第１方向と交差する第２方向に配列されて前記媒体基材に設けられた複数の単位データ部と、を有し、前記単位データ部の配列にディジタルコードを形成するためのマークが、一部の前記単位データ部に設けられており、前記マークは前記媒体基材表面に形成される所定の高さを有する凸部であって、当該凸部の有無に応じて単位データ部に二値のデータのいずれかを付与するものであり、前記第１方向に延びる単位データ部列の前記第２方向の並びにおける始端側単位データ部列の前記第１方向順列のマークパターンは、終端側単位データ部列の前記第１方向順列のマークパターン及び前記第１方向とは反対方向順列のマークパターンと異なり、前記媒体基材に設けられ、前記第２方向に延在する溝をさらに有し、前記単位データ部は前記溝に設けられていることを特徴とする。
【手続補正４】
【補正対象書類名】明細書
【補正対象項目名】００１４
【補正方法】変更
【補正の内容】
【００１４】
また、本発明に係る情報処理システムは、前記情報保持媒体と、前記情報保持媒体の前記単位データ部の配列に形成されたディジタルコードを読み取る情報読取装置と、を備え、前記情報読取装置は、前記情報保持媒体の前記第２方向への相対移動を伴って該情報保持媒体が装着される装着部と、前記装着部に装着された前記情報保持媒体の前記第１方向に平行な方向に配列されて前記装着部に設けられ、前記情報保持媒体の前記単位データ部に設けられた前記マークを検出し、検出結果に対応した信号を出力する複数の検出部と、複数の前記検出部から同期して出力される複数の信号を一単位とする単位信号に基づいてデータ列を生成し、前記情報保持媒体の前記単位データ部の配列から順次得られる前記データ列の群に基づいて前記ディジタルコードを認識する処理部と、を有することを特徴とする。また、本発明に係る情報処理システムは、前記情報保持媒体と、前記情報保持媒体の前記単位データ部の配列に形成されたディジタルコードを読み取る情報読取装置と、を備え、前記情報読取装置は、前記情報保持媒体の前記第２方向への相対移動を伴って該情報保持媒体が装着される装着部と、前記装着部に装着された前記情報保持媒体の前記第１方向に平行な方向に配列されて前記装着部に設けられ、前記情報保持媒体の前記単位データ部に設けられた前記マークを検出し、検出結果に対応した信号を出力する複数の検出部と、複数の前記検出部から同期して出力される複数の信号を一単位とする単位信号に基づいてデータ列を生成し、前記情報保持媒体の前記単位データ部の配列から順次得られる前記データ列の群に基づいて前記ディジタルコードを認識する処理部と、を有し、前記検出部は前記凸部によって押下されるスイッチであることを特徴とする。
【手続補正５】
【補正対象書類名】明細書
【補正対象項目名】００１５
【補正方法】変更
【補正の内容】
【００１５】
また、本発明に係る情報処理システムは、前記情報保持媒体と、前記情報保持媒体の前記単位データ部の配列に形成されたディジタルコードを読み取る情報読取装置と、を備え、前記情報読取装置は、前記情報保持媒体の前記第２方向への相対移動を伴って該情報保持媒体が装着される装着部と、前記装着部に装着された前記情報保持媒体の前記第１方向に平行な方向に配列されて前記装着部に設けられ、前記情報保持媒体の前記単位データ部に設けられた前記マークを検出し、検出結果に対応した信号を出力する複数の検出部と、複数の前記検出部から同期して出力される複数の信号を一単位とする単位信号に基づいてデータ列を生成し、前記情報保持媒体の前記単位データ部の配列から順次得られる前記データ列の群に基づいて前記ディジタルコードを認識する処理部と、を有しており、前記情報保持媒体の前記終端側単位データ部列の前記第１方向順列のマークパターンは特定マークパターンとされており、前記処理部は、前記特定マークパターンから得られる特定データ列を検出した場合に前記ディジタルコードを認識する処理を実行し、また前記特定マークパターンを前記第１方向とは反対方向に反転してなる反転特定マークパターンから得られる反転特定データ列を検出した場合にエラー処理を実行することを特徴とする。また、本発明に係る情報処理システムは、前記情報保持媒体と、前記情報保持媒体の前記単位データ部の配列に形成されたディジタルコードを読み取る情報読取装置と、を備え、前記情報読取装置は、前記情報保持媒体の前記第２方向への相対移動を伴って該情報保持媒体が装着される装着部と、前記装着部に装着された前記情報保持媒体の前記第１方向に平行な方向に配列されて前記装着部に設けられ、前記情報保持媒体の前記単位データ部に設けられた前記マークを検出し、検出結果に対応した信号を出力する複数の検出部と、複数の前記検出部から同期して出力される複数の信号を一単位とする単位信号に基づいてデータ列を生成し、前記情報保持媒体の前記単位データ部の配列から順次得られる前記データ列の群に基づいて前記ディジタルコードを認識する処理部と、を有しており、前記検出部は前記凸部によって押下されるスイッチであり、前記情報保持媒体の前記終端側単位データ部列の前記第１方向順列のマークパターンは特定マークパターンとされており、前記処理部は、前記特定マークパターンから得られる特定データ列を検出した場合に前記ディジタルコードを認識する処理を実行し、また前記特定マークパターンを前記第１方向とは反対方向に反転してなる反転特定マークパターンから得られる反転特定データ列を検出した場合にエラー処理を実行することを特徴とする。
【手続補正６】
【補正対象書類名】明細書
【補正対象項目名】００１６
【補正方法】変更
【補正の内容】
【００１６】
また、本発明に係る情報処理システムにおいては、前記情報保持媒体は、前記媒体基材に設けられ、前記第２方向に延在する被ガイド部をさらに有しており、前記情報読取装置の前記装着部には、前記情報保持媒体の前記被ガイド部に係合して該情報保持媒体の前記第２方向の相対移動をガイドするガイド部が設けられていてもよい。また、本発明に係る情報処理システムにおいては、前記情報読取装置の前記装着部には、前記情報保持媒体の前記溝に係合して該情報保持媒体の前記第２方向の相対移動をガイドするガイド部が設けられていてもよい。
【手続補正７】
【補正対象書類名】明細書
【補正対象項目名】００１７
【補正方法】変更
【補正の内容】
【００１７】
また、本発明に係る情報処理システムにおいては、前記情報保持媒体の前記被ガイド部は溝であり、前記情報読取装置の前記ガイド部は、前記装着部に装着された前記情報保持媒体の前記第２方向に平行な方向に延びる凸条であってもよい。また、本発明に係る情報処理システムにおいては、前記情報読取装置の前記ガイド部は、前記装着部に装着された前記情報保持媒体の前記第２方向に平行な方向に延びる凸条であってもよい。